(57)【要約】【課題】螺旋状のカム溝を形成したカム筒に対して必要以上の回転力が加えられたとしても、カム筒の変形が生じることなく、滑らかな作動を継続することができる回転操作式筆記具を提供すること。【解決手段】後方軸筒（３）を回転操作して後方軸筒内筒（１６）を回転させることにより、カム筒（１７）のカム溝（１７ａ）及び後方軸筒内筒（１６）のスリット（１６ａ）によって、後方軸筒内筒（１６）の内部に設けた押圧体（１８）のカム突起（１８ａ）が回転しながら前進し、押圧体（１８）を介して筆記体（１４）が弾性体（１５）の付勢力に抗して前進する。【選択図】図１
2014091268.tif 000002
【特許請求の範囲】
【請求項１】
後方軸筒を前方軸筒に対して回転操作することによって前方軸筒の前方部から筆記体の筆記先端部が突出する回転操作式筆記具であって、
互いに分離された前方軸筒及び後方軸筒と、
螺旋状に設けられたカム溝を有し、且つ前記前方軸筒の後部に固定されたカム筒と、
長手方向に設けられたスリットを有し、且つ前記後方軸筒に固定された後方軸筒内筒と、
前記カム溝と前記スリットとに遊嵌するカム突起を有し、且つ前記カム突起と一体的に前記カム筒の内部を移動可能な押圧体と、
前記前方軸筒の内部に設けられると共に、前記前方軸筒に対して弾性体によって後方へ付勢された筆記体と、を備え、
前記押圧体も、前記弾性体によって前記筆記体を介して後方へ付勢されており、前記後方軸筒を回転操作して後方軸筒内筒を回転させることにより、
前記カム溝及び前記スリットによって前記カム突起が回転しながら前進し、これに伴って前記押圧体が前進し、当該押圧体を介して前記筆記体が前記弾性体の付勢力に抗して前進することを特徴とした回転操作式筆記具。
【請求項２】
前記スライド体を前記筆記体に当接する前方部材と、前記カム突起を設けた後方部材とを有し、前記前方部材に対し前記後方部材を回転可能に連結させたことを特徴とした請求項１に記載の回転操作式筆記具。
【発明の詳細な説明】
【技術分野】
【０００１】
本発明は、軸筒の後方に設けた操作部を回転操作することによって、軸筒の前方部から筆記体の先端部が突出する回転操作式筆記具に関する。
【背景技術】
【０００２】
軸筒後方に設けた操作部を回転操作することにより、筆記体の先端部が軸筒の前方から突出する回転操作式筆記具は従来から知られており、例えば、本件出願人による特許文献１（特開２００７−３２０２０９）では、回転操作式の万年筆が記載されている。
【０００３】
図６は、特許文献１に開示された回転操作式万年筆の断面図で、筆記体の先端部が軸筒本体内に没入した状態を示している。
万年筆１０１は、軸筒本体１０２の後方部に尾冠１０３を配設して軸筒１０４を形成している。軸筒本体１０２は、雄螺子部１０５ａと雌螺子部１０６ａとが螺合することで結合された前方内筒１０５と後方内筒１０６とに、前軸部材１０７と後軸部材１０８とがそれぞれ被着されている。
軸筒本体１０２の前方内筒１０５の前方部には中空パイプ１０９を装着してあり、中空パイプ１０９の前方部にはゴム材で形成した弾性先首１１０が装着されており、弾性先首１１０の傾斜前端面１１０ａには、捻りコイルバネ１１１の弾発力によって閉塞する蓋体１１２が配設されている。
捻りコイルバネ１１１は、コイル部１１１ａに中空パイプ１０９へ装着した軸棒１１３が挿通されており、当該軸棒１１３は蓋体１１２の下端においてコイル部１１１ａの両側を挟むように配置された巻返部１１２ａをも挿通して、蓋体１１２が軸棒１１３を支点として開閉可能となっている。
【０００４】
また、蓋体１１２の上方を曲折してなる係止部１１２ｂには、捻りコイルバネ１１１の前端側に形成された返し部１１１ｂが係止され、中空パイプ１０９の側面には、捻りコイルバネ１１１の後方アーム部１１１ｃが当接されている。これにより、捻りコイルバネ１１１が常に蓋体１１２を弾性先首１１０側に弾発するようになっている。
そして、軸筒本体１０２の内部に、万年筆構造である筆記体１１４が配設されている。筆記体１１４は、筆記体本体１１４ａの前方に筆記先端部１１４ｂとしてのペン体を有しており、筆記体本体１１４ａの後方に万年筆用インキを収容したインキカートリッジ１１４ｃを有している。
また、筆記体本体１１４ａの中間部に形成された段部１１４ｄと、中空パイプ１０９の後端部１０９ａとの間には、コイルスプリング１１５が配設され、筆記体１１４が常時後方へ弾発される構造としてあり、筆記体本体１１４ａに設けられたガイド突起１１４ｅが、前方内筒１０５の内面に形成されたスライド溝１０５ｂへ遊嵌されることで、筆記体１１４は、回転することなく前後移動できるようになっている。
【０００５】
また、後方内筒１０６の後端に形成された雄螺子部１０６ｂには、円筒状の尾冠内筒１１６の雌螺子部１１６ａが螺合されており、尾冠内筒１１６の内部には、螺旋状のカム溝１１７ａを有するカム筒１１７が配設されている。また、カム筒１１７の雄螺子部１１７ｂが尾冠１０３の雌螺子部１０３ａに螺合されていることにより、カム筒１１７は尾冠１０３と一体で回転可能となっている。
カム筒１１７の内部には押圧体１１８が配設されており、押圧体１１８の側面にはカム突起１１８ａが突設されている。カム突起１１８ａは、カム溝１１７ａへ遊嵌すると共に、尾冠内筒１１６の長手方向に形成されたスリット１１６ｂにも遊嵌している。図６の例では、カム溝１１７ａ及びスリット１１６ｂは、軸対称に二つずつ設けられており、カム突起１１８ａもそれらに対応して二カ所に設けられている。
【０００６】
また、押圧体１１８の前端部には、径を大きくされたフランジ１１８ｂが設けられており、当該フランジ１１８ｂには筆記体１１４のインキカートリッジ１１４ｃの後端が当接されている。コイルスプリング１１５は、筆記体１１４を介して押圧体１１８を常時後方へ弾発しており、フランジ１１８ｂの後部に装着されたゴム製のＯリング１１９を、後方内筒１０６の内面に形成された鍔部１０６ｃへと当接させている。したがって、図６に示すように、筆記先端部１１４ｂが軸筒本体１０２内に没入した状態では、軸筒本体１０２の前方部は蓋体１１２が弾性先首１１０に当接することで気密性を確保し、軸筒本体１０２の後方部はＯリング１１９が鍔部１０６ｃに当接することによって気密性を確保し、結果的に軸筒本体１０２の内部が密閉される構造になっている。
【０００７】
図７は、筆記体１１４の先端部１１４ｂを軸筒本体１０２から突出させた状態を示している。
尾冠１０３が右方向（図中矢印方向）に回転されると、カム筒１１７も一体に右へ回転され、カム筒１１７のカム溝１１７ａに遊嵌しているカム突起１１８ａにも右へ回転する力が働く。ここで、カム突起１１８ａは尾冠内筒１１６のスリット１１６ｂにも遊嵌しているため、右へ回転することはできず、当該スリット１１６ｂをガイドとしながら回転せずに螺旋状のカム溝１１７ａの前方へと移動していく。
これに伴って、押圧体１１８がカム突起１１８ａと共に前方へ移動していき、押圧体１１８に当接している筆記体１１４がコイルスプリング１１５を圧縮しながら前進していく。そして、筆記先端部１１４ｂが蓋体１１２を開放し、前軸部材１０７の先端部に形成された先端開口部１０７ａから筆記先端部１１４ｂが突出する。
【０００８】
筆記先端部１１４ｂが先端開口部１０７ａから突出した際には、押圧体１１８のカム突起１１８ａがカム溝１１７ａに連設された保持溝１１７ｃへ係止される。これにより、筆記先端部１１４ｂの突出状態が維持される。保持溝１１７ｃは、螺旋状のカム溝１１７ａの先端部からカム筒１１７の軸方向に少し戻るように形成されて、コイルスプリング１１５によってカム突起１１８ａが保持溝１１７ｃの後側に弾発される際に引っ掛かりが生じるようにしたものである。
【０００９】
図７に示す状態から尾冠１０３が逆方向（左方向）に回転されると、押圧体１１８のカム突起１１８ａがカム筒１１７の保持溝１１７ｃから解除され、コイルスプリング１１５の弾発力によってカム突起１１８ａは、前進時とは逆方向の力を受け、カム溝１１７ａに逆回転力を掛けながら、当該カム溝１１７ａを後退していく。
押圧体１１８の後退により、コイルスプリング１１５に弾発された筆記体１１４も後退して、図６に示すように、筆記先端部１１４ｂが軸筒本体１０２に没入される。この後退時に筆記体１１４が受ける衝撃は、押圧体１１８に装着されたＯリング１１９が後方内軸１０６の鍔部１０６ｃに当接することにより緩和される。
【００１０】
前述の特許文献１（特開２００７−３２０２０９）に基づく回転操作式筆記具は、非常に優れた性能を有しており、実際に製品化されて幅広い利用者層に満足して頂いている。
しかしながら、尾冠１０３を右方向に回転させて筆記体１１４の筆記先端部１１４ｂを突出させた状態で、尾冠１０３を右方向へ更に強く回転させてしまった場合には、カム突起１１８ａが尾冠内筒１１６のスリット１１６ｂの内側面及びカム筒１１７のカム溝１１７ａの前端に当接していることから、カム突起１１８ａを設けた押圧体１１８及び尾冠１０３が更に回転することはなく、尾冠１０３に加えられた回転力は当該尾冠１０３に連結されたカム筒１１７が受け、尾冠１０３との連結箇所である後端部とカム突起１１８ａが当接したカム溝１１７ａの前端とに捻りの力が働くことにより、カム筒１１７の全面に渡ってカム溝１１７ａを螺旋状に形成したカム筒１１７が変形してしまう虞があり、回転操作に問題が生じることが心配されていた。尚、カム筒１１７の強度を向上させるためにカム筒１１７の肉厚を厚くすることは、細い軸径の軸筒をデザインする場合や、筆記具の重さを軽く設定する場合に不都合を生じさせることとなる。
【先行技術文献】
【特許文献】
【００１１】
【特許文献１】特開２００７−３２０２０９
【発明の概要】
【発明が解決しようとする課題】
【００１２】
本発明の目的は、螺旋状のカム溝を形成したカム筒に対して必要以上の回転力が加えられたとしても、カム筒が変形することなく、滑らかな回転操作を継続させることができる回転操作式筆記具を提供することである。
【課題を解決するための手段】
【００１３】
本発明は、
「１．後方軸筒を前方軸筒に対して回転操作することによって前方軸筒の前方部から筆記体の筆記先端部が突出する回転操作式筆記具であって、
互いに分離された前方軸筒及び後方軸筒と、
螺旋状に設けられたカム溝を有し、且つ前記前方軸筒の後部に固定されたカム筒と、
長手方向に設けられたスリットを有し、且つ前記後方軸筒に固定された後方軸筒内筒と、
前記カム溝と前記スリットとに遊嵌するカム突起を有し、且つ前記カム突起と一体的に前記カム筒の内部を移動可能な押圧体と、
前記前方軸筒の内部に設けられると共に、前記前方軸筒に対して弾性体によって後方へ付勢された筆記体と、を備え、
前記押圧体も、前記弾性体によって前記筆記体を介して後方へ付勢されており、前記後方軸筒を回転操作して後方軸筒内筒を回転させることにより、
前記カム溝及び前記スリットによって前記カム突起が回転しながら前進し、これに伴って前記押圧体が前進し、当該押圧体を介して前記筆記体が前記弾性体の付勢力に抗して前進することを特徴とした回転操作式筆記具。
２．前記スライド体を前記筆記体に当接する前方部材と、前記カム突起を設けた後方部材とを有し、前記前方部材に対し前記後方部材を回転可能に連結させたことを特徴とした１項に記載の回転操作式筆記具。」である。
【発明の効果】
【００１４】
本発明による回転操作式筆記具では、筆記体の筆記先端部を突出させた状態で更に後方軸筒に回転力を加えた場合に、回転力を、後方軸筒に連結された後方軸筒内筒が受けることとなるが、後方軸筒内筒のスリットにより回転されたカム突起は、前方軸筒の後部に固定されたカム筒のカム溝における前端部に当接することとなり、カム筒を変形させるような捻りの力は働かず、また縦方向にスリットが形成された後方軸筒内筒には、同じく縦方向で連続する部分が存在していることから強度的に優れ、したがって後方軸筒に過度な回転力が加わった場合でも、その後の回転操作の作動不良を効果的に防止することができるものとなる。
【図面の簡単な説明】
【００１５】
【図１】本発明の一実施の形態の回転操作式筆記具の筆記体の収納状態における概略図である。
【図２】図１の要部の拡大図である。
【図３】図１の回転操作式筆記具の筆記体の突出状態における概略図である。
【図４】図３の要部の拡大図である。
【図５】部品の分解図である。
【図６】従来の一実施の形態の回転操作式筆記具の筆記体の収納状態における概略図である。
【図７】従来の回転操作式筆記具の筆記体の突出状態における概略図である。
【発明を実施するための形態】
【００１６】
以下に、図面を参照して、本発明の実施の形態を詳細に説明する。
図１は、本発明の一実施の形態の回転操作式筆記具の筆記体の収納状態における概略図であり、図２は、図１の要部の拡大図である。図３は、図１の回転操作式筆記具の筆記体の突出状態における概略図である。図４は、図３の要部の拡大図である。尚、本実施の形態における説明では、ペン先がある側を前方と表現し、その反対側を後方と表現する。
万年筆１は、軸筒本体２（前方軸筒）の後方に尾冠３（後方軸筒）を配設して軸筒４を形成している。軸筒本体２は、雄螺子部５ａと雌螺子部６ａとが螺合することで結合された前方内筒５と後方内筒６とに、前軸部材７と後軸部材８とがそれぞれ被着されている。
軸筒本体２の前方内筒５の前方部には中空パイプ９を装着してあり、中空パイプ９の前方部にはゴム材で形成した弾性先首１０が装着されており、弾性先首１０の傾斜前端面１０ａには、捻りコイルバネ１１の弾発力によって閉塞する蓋体１２が配設されている。
捻りコイルバネ１１は、コイル部１１ａに中空パイプ９へ装着した軸棒１３が挿通されており、当該軸棒１３は蓋体１２の下端においてコイル部１１ａの両側を挟むように配置された巻返部１２ａをも挿通して、蓋体１２が軸棒１３を支点として開閉可能となっている。
【００１７】
また、蓋体１２の上方を曲折してなる係止部１２ｂには、捻りコイルバネ１１の前端側に形成された返し部１１ｂが係止され、中空パイプ９の側面には、捻りコイルバネ１１の後方アーム部１１ｃが当接されている。これにより、捻りコイルバネ１１が常に蓋体１２を弾性先首１０側に弾発するようになっている。
そして、軸筒本体２の内部に、万年筆構造である筆記体１４が配設されている。筆記体１４は、筆記体本体１４ａの前方に筆記先端部１４ｂとしてのペン体を有しており、筆記体本体１４ａの後方に万年筆用インキを収容したインキカートリッジ１４ｃを有している。
また、筆記体本体１４ａの中間部に形成された段部１４ｄと、中空パイプ９の後端部９ａとの間には、コイルスプリング１５が配設され、筆記体１４が常時後方へ弾発される構造としてあり、筆記体本体１４ａに設けられたガイド突起１４ｅが、前方内筒５の内面に形成されたスライド溝５ｂへ遊嵌されることで、筆記体１４は、回転することなく前後移動できるようになっている。
【００１８】
また、後方内筒６の後端に形成された雄螺子部６ｂは、後軸部材８の後方に形成された雌螺子部８ａに螺合しており、後軸部材８の後端に形成された雌螺子部８ｂは、長手方向に渡って螺旋状に設けられたカム溝１７ａを有したカム筒１７の前方に形成した雄螺子部１７ｂが螺合されている。カム筒１７の内部には、長手方向に設けられたスリット１６ａを有する後方軸筒内筒１６が配設されている。また、後方軸筒内筒１６の後方に形成した雄螺子部１６ｂが尾冠３の雌螺子部３ａに螺合及び接着されていることにより、後方軸筒内筒１６は尾冠３と一体で回転可能となっている。
後方軸筒内筒１６の内部には押圧体１８が配設されており、押圧体１８の側面にはカム突起１８ａが突設されている。カム突起１８ａは、後方軸筒内筒１６のスリット１６ａへ遊嵌すると共に、カム筒１７のカム溝１７ａにも遊嵌している。本発明の実施の形態では、スリット１６ａ及びカム溝１７ａは軸対称に二つずつ設けられており、図５に示すようにピン部材からなるカム突起１８ａの両端が、押圧体１８に形成した貫通孔１８ｂから突出して前記スリット１６ａ及びカム溝１７ａに摺動できるようにしてある。
【００１９】
また、押圧体１８の前端部には、径を大きくしたフランジ１８ｃが設けられており、当該フランジ１８ｃには筆記体１４のインキカートリッジ１４ｃの後端が当接されている。コイルスプリング１５は、筆記体１４を介して押圧体１８を常時後方へ弾発しており、フランジ１８ｃの後部に装着されたゴム製のＯリング１９を、後方内筒６の内面に形成された鍔部６ｃへと当接させている。したがって、図１に示すように、筆記先端部１４ｂが軸筒本体２内に没入した状態では、軸筒本体２の前方部は蓋体１２が弾性先首１０に当接することで気密性を確保し、軸筒本体２の後方部はＯリング１９が鍔部６ｃに当接することによって気密性を確保し、結果的に軸筒本体２の内部が密閉される構造になっている。
尚、本実施の形態では、図５に示すように、押圧体１８を、筆記体１４に当接する前方部材１８１とカム突起１８ａを設けた後方部材１８２とで構成してあり、前方部材１８１に形成した後方延出部１８１ａを後方部材１８２の前方開口部１８２ａに回転可能に挿嵌してあり、カム突起１８ａと共に回転する後方部材１８２の回転が筆記体１４に伝達されないようにしてある。
【００２０】
次に、図３及び図４を用いて筆記体１４の先端部１４ｂを軸筒本体２から突出させる状態について説明を行う。
尾冠３が右方向（図中矢印方向）に回転されると、後方軸筒内筒１６も一体に右へ回転し、後方軸筒内筒１６のスリット１６ａに遊嵌しているカム突起１８ａが、後軸部材８に螺合されたカム筒１７のカム溝１７ａに摺接しながら前方へと移動していく。
これに伴って、押圧体１８がカム突起１８ａと共に回転しながら前方へ移動していき、押圧体１８に当接している筆記体１４がコイルスプリング１５を圧縮しながら前進していく。そして、筆記先端部１４ｂが蓋体１２を開放し、前軸部材７の先端部に形成された先端開口部７ａから筆記先端部１４ｂが突出する。
【００２１】
筆記先端部１４ｂが先端開口部７ａから突出した際には、押圧体１８のカム突起１８ａがカム溝１７ａに連設された保持溝１７ｃへ係止される。これにより、筆記先端部１４ｂの突出状態が維持される。保持溝１７ｃは、螺旋状のカム溝１７ａの先端部からカム筒１７の軸方向に少し戻るように形成されて、コイルスプリング１５によってカム突起１８ａが保持溝１７ｃの後側に弾発される際に引っ掛かりが生じるようにしたものである。
【００２２】
図２に示す状態から尾冠３が逆方向（左方向）に回転されると、押圧体１８のカム突起１８ａがカム筒１７の保持溝１７ｃから解除され、コイルスプリング１５の弾発力によって押圧体１８のカム突起１８ａが逆回転しながら、当該カム溝１７ａを後退していく。
この押圧体１８の後退により、コイルスプリング１５に弾発された筆記体１４も後退して、図１に示すように、筆記先端部１４ｂが軸筒本体２に没入される。この後退時に筆記体１４が受ける衝撃は、押圧体１８に装着されたＯリング１９が、後方内軸６の鍔部６ｃに当接することにより緩和される。
【００２３】
図３に示すように筆記体１４の先端部１４ｂを突出させた状態において、軸筒本体２を持って尾冠３を右方向へ更に強く回転させてしまった場合、カム筒１７のカム溝１７ａの前端に押圧体１８のカム突起１８ａが当接していることから、尾冠３に加えられた回転力は、当該尾冠３に連結された後方軸筒内筒１６が受けることとなるが、後方軸筒内筒１６はスリット１６ａ以外の部分が縦方向に連続しており、カム突起１８ａはカム溝１７ａの前端の変形し難い位置に当接していることから、カム筒１７の変形を防止することができる。
また仮に、図１に示すように筆記体１４の先端部１４ｂを没入させた状態において、軸筒本体２を持って尾冠３を左方向へ更に強く回転させてしまった場合には、カム溝１７ａを設けたカム筒１７には捻りの力が掛かり内径が狭くなるように変形される力が働くが、図１に示す状態のカム筒１７の内部には後方軸筒内筒１６が近接した状態で位置することから、後方軸筒内容１６が補強となってカム筒１７の変形を防止することができる。
また、本実施例では、後方軸筒内筒１６の雄螺子部１６ｂと尾冠３の雌螺子部３ａとの螺合時における回転方向を、筆記体１４の先端部１４ｂを突出させる際に尾冠３を回転させる方向と一致させてあることから、図３に示す状態から尾冠３を右方向へ更に強く回転させてしまった場合でも螺合状態が締まる方向に力が働くので、後方軸筒内筒１６から尾冠３が外れてしまうことがない構造になっている。
尚、筆記体１４の先端部１４ｂを没入させる際には、コイルスプリング１５の弾発力で筆記体１４および押圧体１８が後退されるのでカム筒１７が変形するような力はかからず、尾冠３と後方軸筒内筒１６との螺合が外れることはない。
【産業上の利用可能性】
【００２４】
本願発明による回転操作式筆記具は、後方軸筒及び前方軸筒の断面形状が三角形状や四角形状などで角があって回転操作する際に軸筒を掴みやすく、必要以上の力がカム筒などの機構部にかかりやすい筆記具に好適である。
【符号の説明】
【００２５】
１…万年筆、２…軸筒本体（前方軸筒）、
３…尾冠（後方軸筒）、３ａ…雌螺子部、４…軸筒、
５…前方内筒、５ａ…雄螺子部、５ｂ…スライド溝、
６…後方内筒、６ａ…雌螺子部、６ｂ…雄螺子部、６ｃ…鍔部、
７…前軸部材、７ａ…先端開口部、
８…後軸部材、８ａ…雌螺子部、８ｂ…雌螺子部、
９…中空パイプ、９ａ…後端部、
１０…弾性先首、１０ａ…傾斜前端面、
１１…捻りコイルバネ、１１ａ…コイル部、１１ｂ…返し部、
１１ｃ…後方アーム部、
１２…蓋体、１２ａ…巻返部、１２ｂ…係止部、
１３…軸棒、
１４…筆記体、１４ａ…筆記体本体、１４ｂ…筆記先端部、
１４ｃ…インキカートリッジ、１４ｄ…段部、１４ｅ…ガイド突起、
１５…コイルスプリング、
１６…後方軸筒内筒、１６ａ…スリット、１６ｂ…雄螺子部、
１７…カム筒、１７ａ…カム溝、１７ｂ…雄螺子部、１７ｃ…保持溝、
１８…押圧体、１８ａ…カム突起、１８ｂ…貫通孔、１８ｃ…フランジ、
１８１…前方部材、１８１ａ…後方延出部、
１８２…後方部材、１８２ａ…前方開口部、
１９…Ｏリング。
【図１】
2014091268.tif 000003
【図２】
2014091268.tif 000004
【図３】
2014091268.tif 000005
【図４】
2014091268.tif 000006
【図５】
2014091268.tif 000007
【図６】
2014091268.tif 000008
【図７】
2014091268.tif 000009